(57)【要約】【課題】光ディスク装置において、オフトラック検出信号の適正化と、これに基づくアクセス時間の短縮化が可能な技術の提供。【解決手段】光ピックアップからの再生信号の処理系を２系統化し、一方の処理系統では、再生信号に対しゲイン増大のイコライズ処理を行って第１の２値化信号を形成後該第１の２値化信号に基づき再生クロックを生成し、他方の処理系統では、上記再生信号に対しゲイン増大をしないイコライズ処理を行ってアクセス用のオフトラック検出信号及び第２の２値化信号を形成し該第２の２値化信号及び上記再生クロックに基づき再生データを生成する。【選択図】  図１
2005063498.tif 000002
【特許請求の範囲】
【請求項１】
光ピックアップによる再生信号に基づき光ディスク上のアクセスを行う光ディスク装置であって、
上記再生信号に対しゲイン増大のイコライズ処理を行って第１の２値化信号を形成し、該第１の２値化信号に基づき再生クロックを生成する制御系と、
上記光ピックアップによる再生信号に対しゲイン増大を行わないイコライズ処理を行ってアクセス用のオフトラック検出信号及び第２の２値化信号を形成し、該第２の２値化信号及び上記再生クロックに基づき再生データを生成するデータ生成系と、を備え、上記オフトラック検出信号に基づきアクセスを行う構成を特徴とする光ディスク装置。
【請求項２】
光ピックアップによる再生信号に基づき光ディスク上のアクセスを行う光ディスク装置であって、
アクセス時に上記再生信号をゲイン増大状態でイコライズ処理し第１のＲＦ信号として出力する第１のイコライズ・ＡＧＣ回路と、
上記第１のＲＦ信号をデータスライス処理して第１の２値化信号を形成し出力する第１のデータスライス回路と、
上記第１の２値化信号から再生クロックを生成するＰＬＬ回路と、
光ピックアップに対し上記第１のイコライズ・ＡＧＣ回路と並列接続され、アクセス時に上記再生信号をゲイン増大させない状態でイコライズ処理し第２のＲＦ信号として出力する第２のイコライズ・ＡＧＣ回路と、
上記第２のＲＦ信号をデータスライス処理して第２の２値化信号を形成し出力する第２のデータスライス回路と、
上記第２の２値化信号と上記再生クロックに基づき、再生データを生成する信号処理回路と、
上記第２のイコライズ・ＡＧＣ回路から出力される第２のＲＦ信号に基づきアクセス用のオフトラック検出信号を形成するＯＦＴＲ生成回路と、を備え、上記オフトラック検出信号に基づきアクセスを行い上記再生データによる再生を行う構成を特徴とする光ディスク装置。
【発明の詳細な説明】
【０００１】
【発明の属する技術分野】
本発明は、光ディスク装置に係り、特にアクセス性能改善技術に関する。
【０００２】
【従来の技術】
本発明に関連した従来技術としては、例えば、特開平１１−３２８８５８号公報（特許文献１）や、特開２００２−１３３６７１号公報（特許文献２）に記載されたものがある。特開平１１−３２８８５８号公報には、環境変動やディスクのバラツキに対応してイコライザのブースト量を調整するために、ＰＬＬの位相誤差パルスを電圧変換した位相誤差電圧を生成し、該誤差電圧が最小となるようにイコライザのブースト量を設定する構成が記載され、また、特開２００２−１３３６７１号公報には、アクセス時にオフセット設定回路で所定のオフセット値を高域通過フィルタに付加することでオフトラック検出信号を判別する技術が記載されている。
【０００３】
【特許文献１】
特開平１１−３２８８５８号公報
【特許文献２】
特開２００２−１３３６７１号公報
【０００４】
【発明が解決しようとする課題】
上記公報記載の従来技術はいずれも、オフトラック検出信号の適正化とそれに基づくアクセス時間の短縮化のためのものではない。
本発明の課題点は、上記従来技術の状況に鑑み、光ディスク装置において、ＰＬＬ制御の追随性を向上させるとともに、オフトラック検出信号を適正化し、これに基づきアクセス時間を短縮できるようにすることである。
本発明の目的は、かかる課題点を解決できる技術の提供にある。
【０００５】
【課題を解決するための手段】
上記課題点を解決するために、本発明では、光ディスク装置において、基本的に、光ピックアップからの再生信号の処理系を２系統化し、一方の処理系統では、再生信号に対しゲイン増大のイコライズ処理を行って第１の２値化信号を形成し該第１の２値化信号に基づき再生クロックを生成し、他方の処理系統では、上記再生信号に対しゲイン増大をしないイコライズ処理を行ってアクセス用のオフトラック検出信号及び第２の２値化信号を形成し該第２の２値化信号及び上記再生クロックに基づき再生データを生成する。
【０００６】
【発明の実施の形態】
以下、本発明の実施例につき、図面を用いて説明する。
図１〜図４は本発明の実施例の説明図である。図１は、本発明の実施例としての光ディスク装置の信号再生回路の構成例図、図２は、図１の構成の信号状態の説明図、図３は、図１の構成の比較図であって、再生信号の処理系統を分けずに、再生クロックの生成、再生データの形成及びオフトラック検出信号の生成を１つの処理系統内で行う場合の構成例図、図４は、図３の構成の信号状態の説明図である。
【０００７】
図１において、１は、光ディスク（図示なし）の情報記録面にレーザー光を照射したり、反射光を受光したりして、該情報記録面に対し信号の記録や再生を行う光ピックアップ、２ａは、光ピックアップ１からの再生信号（ＲＦ信号）の高周波ノイズの除去と高域成分のブーストを行うとともにゲイン増大を行うイコライズ回路Ａ及び信号振幅が一定になるように制御するＡＧＣ（Ａｕｔｏ  Ｇａｉｎ  Ｃｏｎｔｒｏｌ）回路Ａ、３ａは、イコライズ回路Ａ及びＡＧＣ回路Ａ２ａから出力されるゲイン増大されたＲＦ信号について２値化を行い、２値化信号Ａを形成するデータスライス回路Ａ、４は、データスライス回路Ａ３ａからの出力から再生クロックの同期分離を行うＰＬＬ回路、２ｂは、光ピックアップ１からの再生信号（ＲＦ信号）の高周波ノイズの除去と高域成分のブーストを行い、ゲイン増大は行わないイコライズ回路Ｂ及び信号振幅が一定になるように制御するＡＧＣ回路Ｂ、３ｂは、イコライズ回路Ｂ及びＡＧＣ回路Ｂ２ｂから出力されるゲイン増大されないＲＦ信号について２値化を行い、２値化信号Ｂを形成するデータスライス回路Ｂ、５は、上記ＰＬＬ回路４からの再生クロックと、上記データスライス回路Ｂからの２値化信号Ｂとに基づき、再生データを生成する信号処理回路、６は、上記イコライズ回路Ｂ及びＡＧＣ回路Ｂ２ｂから出力されるゲイン増大されないＲＦ信号に基づき、オフトラック検出信号を生成するオフトラック検出信号生成回路である。
【０００８】
図２は、光ピックアップ１がディスク内周側からディスク外周側へアクセスする場合の、図１の構成の信号再生回路における信号状態の説明図である。以下の説明中で、上記図１の回路の構成要素には、図１の場合と同じ符号を用いる。
図２において、（ａ）は光ピックアップ１のドライブ動作状態、（ｂ）はイコライズ回路Ａ及びＡＧＣ回路Ａ２ａの状態、（ｃ）は光ピックアップ１側からのＲＦ信号の状態、（ｄ）はイコライズ回路Ｂ及びＡＧＣ回路Ｂ２ｂのＡＧＣ回路Ｂによってゲインコントロール（振幅一定化制御）され、ゲイン増大はされないＲＦ信号の状態、（ｅ）はＰＬＬ回路４内において出力されるＰＬＬ制御電圧の状態、（ｆ）はイコライズ回路Ｂ及びＡＧＣ回路Ｂ２ｂの状態、（ｇ）はオフトラック検出信号の状態、（ｈ）は信号処理回路５から出力される信号のシンク状態をそれぞれ示す。上記において、光ピックアップ１側からのＲＦ信号のうち、イコライズ回路Ａ及びＡＧＣ回路Ａ２ａに入力されるものは、アクセス時のＰＬＬの追随性を高めるべくＡＧＣ回路Ａによってゲイン増大される。また、光ピックアップ１側からのＲＦ信号のうち、イコライズ回路Ｂ及びＡＧＣ回路Ｂ２ｂに入力されるものは、ゲイン増大を行うことなく高周波ノイズの除去、高域成分のブースト、振幅一定化制御などが行われるため、（ｄ）に示すように、出力されるＲＦ信号も振幅が略一定のものとなる。このため、これに基づきオフトラック検出信号生成回路６で生成されるオフトラック検出信号も、（ｇ）に示すように、誤差のない適正な状態にされる。また、ＲＦ信号も上記のように乱れのない状態となるため、アクセス後のシンクも短時間のうちにＯＫ状態となり、アクセス動作に要する時間が短縮化される。
【０００９】
図３は、上記図１の回路構成の比較図であって、再生信号の処理系統を分けずに、再生クロックの生成、再生データの形成及びオフトラック検出信号の生成とを１つの処理系統内で行うとした場合の構成例である。
図３において、１は光ピックアップ、２はイコライズ回路及びＡＧＣ回路、３はデータスライス回路、４はＰＬＬ回路、５は信号処理回路、６はオフトラック検出信号生成回路である。光ピックアップ１からの再生信号（ＲＦ信号）は、イコライズ回路及びＡＧＣ回路２により、高周波ノイズの除去、高域成分のブースト処理、ゲイン増大化処理などが行われる。ゲイン増大されたＲＦ信号は、データスライス回路３とオフトラック検出信号生成回路６とに入力される。データスライス回路３に入力されたＲＦ信号は該データスライス回路３により２値化され２値化信号を形成する。該形成された２値化信号はＰＬＬ回路４と信号処理回路５とに入力される。ＰＬＬ回路４では該２値化信号に基づき再生クロックが生成される。該再生クロックは上記信号処理回路５に入力される。信号処理回路５では、上記入力される２値化信号と再生クロックとにより再生データが生成される。上記オフトラック検出信号生成回路６に入力されたＲＦ信号からは、該オフトラック検出信号生成回路６においてオフトラック検出信号が生成される。すなわち、イコライズ回路及びＡＧＣ回路２でゲイン増大させたＲＦ信号から、再生クロックの生成、再生データの形成及びオフトラック検出信号の生成を行う。
【００１０】
図４は、図３の構成の信号状態の説明図である。
図４において、（ａ）は光ピックアップ１のドライブ動作状態、（ｂ）はイコライズ回路及びＡＧＣ回路２の状態、（ｃ）は光ピックアップ１側からのＲＦ信号の状態、（ｄ）は、イコライズ回路及びＡＧＣ回路２により、アクセス時のＰＬＬの追随性を高めるべくゲイン増大されたＲＦ信号の状態、（ｅ）はＰＬＬ回路４内において出力されるＰＬＬ制御電圧の状態、（ｆ）はオフトラック検出信号の状態、（ｇ）は信号処理回路５から出力される信号のシンク状態をそれぞれ示す。上記において、（ｄ）に示すように、ＲＦ信号は、イコライズ回路及びＡＧＣ回路２内においてゲイン増大するときに振幅が大きく増大し、イコライズを通常に戻すときには該振幅が大きく減少する。このため、オフトラック検出信号は、（ｆ）に示すように、上記（ｄ）のＲＦ信号の変動の影響を受け、変動部分でもオフトラック検出を行った状態となる。この結果、トラック流れが発生したとする誤検出を起こすことになる場合があり、また、ＲＦ信号も上記のように乱れるため、アクセス後に、シンクがＯＫ状態となるまでに時間がかかり、アクセス動作に要する時間が長くなる。
【００１１】
上記図１及び図２に示す本発明の実施例によれば、再生信号に対しゲイン増大のイコライズ処理を行い、２値化及びＰＬＬ処理を経て再生クロックを生成する処理系統と、再生信号に対しゲイン増大をせずにイコライズ処理を行い、アクセス用のオフトラック検出信号を生成するとともに、２値化を経て再生データを生成する処理系統とを別個に設けるため、オフトラック検出信号が誤差のない適正な状態にされる。また、ＲＦ信号も上記のように乱れのない状態にできるため、アクセス後のシンクも短時間のうちにＯＫ状態となり、アクセス動作に要する時間が短縮化される。
【００１２】
【発明の効果】
本発明によれば、光ディスク装置において、アクセス時間の短縮化が可能となる。
【図面の簡単な説明】
【図１】本発明の実施例としての光ディスク装置の信号再生回路の構成例図である。
【図２】図１の構成の信号状態の説明図である。
【図３】図１の構成の比較図である。
【図４】図３の構成の信号状態の説明図である。
【符号の説明】
１…光ピックアップ、  ２ａ…イコライズ回路Ａ及びＡＧＣ回路Ａ、  ２ｂ…イコライズ回路Ｂ及びＡＧＣ回路Ｂ、  ３ａ…データスライス回路Ａ、  ３ｂ…データスライス回路Ｂ、  ４…ＰＬＬ回路、  ５…信号処理回路、  ６…オフトラック検出信号生成回路。
【図１】
2005063498.tif 000003
【図２】
2005063498.tif 000004
【図３】
2005063498.tif 000005
【図４】
2005063498.tif 000006